(57)【特許請求の範囲】
【請求項１】
車椅子を利用する作業者の植物栽培作業のための大地あるいは大地に固定された基盤に立設された支柱により長尺の砂培地の栽培床を大地あるいは大地に固定された基盤から離隔状態にて設置した長尺状高床式植物栽培装置であって、その長尺状高床式植物栽培装置の長さ方向に沿う移動が可能な、上面に棚板を備えた収穫物運搬具が、その棚板が栽培床の上方に位置するように配置され、そして、下記の特徴を持つ長尺状高床式植物栽培装置：
１）上記長尺状高床式植物栽培装置の栽培床の両側部のそれぞれにはレールが設けられ、そして収穫物運搬具は下端部に車輪を備える脚部を持ち、収穫物運搬具の長尺状高床式植物栽培装置の長さ方向の移動が、収穫物運搬具の車輪の回転を介しての上記レール上の移動により行われるか、あるいは、
２）上記収穫物運搬具が下端部に車輪を備える脚部を持ち、収穫物運搬具の長尺状高床式植物栽培装置の長さ方向の移動が、収穫物運搬具の車輪の回転を介しての大地もしくは大地に固定された基盤の表面での移動により行われる。
【発明の詳細な説明】
【技術分野】
【０００１】
本発明は、長尺状高床式植物栽培装置に関する。さらに詳しくは、本発明は、長尺状高床式植物栽培装置を利用する植物栽培における作業の利便性や植物生長の促進に有利な付属装置を備えた長尺状高床式植物栽培装置に関する。
【背景技術】
【０００２】
根菜類を代表例とする各種野菜の効率の良い栽培方法として、既に長尺状高床式砂栽培装置が開発され、各種施設において実際に利用されている。
【０００３】
非特許文献１には、長尺状高床式砂栽培の開発の歴史が詳しく記載されており、特に長尺状高床式砂栽培施設を設置した老人福祉施設における植物栽培の状況が報告されている。すなわち、長尺状高床式砂栽培は、健常者による植物栽培作業にとっても充分意味がある栽培方法であるが、特に高齢者や障害者などのように身体の自由な活動や移動が困難となった人々の植物栽培作業への参加を可能とするという利点がある。
【先行技術文献】
【非特許文献】
【０００４】
【非特許文献１】繊維と工業  第７０巻、第３号（２０１４）、８６〜８９頁
【発明の概要】
【発明が解決しようとする課題】
【０００５】
長尺状高床式砂栽培装置では、大地あるいは大地に固定された基盤に立設された支柱により長尺状栽培床を高さ５０ｃｍ〜１．５ｍの位置（すなわち、作業者が座った状態で植物の世話が可能となる高さ）に設置して、これを植物栽培用の栽培床として利用する。このため、通常の大地での植物栽培に際して必要となる腰を繰り返し曲げるような過酷な作業を必要としないことから、前述のように、長尺状高床式砂栽培装置を利用することにより、高齢者や障害者などのように身体の自由な活動や移動が困難となった人々の植物栽培作業への参加が容易となる。
【０００６】
本発明の発明者は、長尺状高床式砂栽培装置を利用しての植物栽培の実施に際して発生する各種の問題点を検討した結果、一つの問題として、高齢者や障害者などによる収穫作業の円滑化が必要であるとの知見を得た。すなわち、長尺状高床式砂栽培装置を利用しての植物栽培の実施に際して必要な通常の植物育成管理は、車椅子などを利用する作業者にとって、特に問題となる作業ではないが、栽培が完了して採取した収穫物の集積位置への運搬に大きな困難があり、この収穫物の集積位置への運搬の問題解決が必要であるとの認識を得た。これを詳しく云うと、歩行能力、特に重量物を持っての歩行能力が低下した高齢者や障害者にとって、栽培床で充分育成した植物を栽培床から採取するることについては特に問題はないが、その後に収穫物を、予め決められた収穫物集積位置に運ぶことが容易とは云えない。
【課題を解決するための手段】
【０００７】
本発明者は、上記の特に高齢者や障害者が長尺状高床式砂栽培装置を利用した場合に発生する収穫物の集積位置への運搬の困難さと云う問題を解決する装置の開発を目指して研究を行った結果、長尺状高床式砂栽培装置の栽培床に沿って移動させることが可能な収穫物運搬具を用意することにより、上記の問題が解決することを見出し、本発明に到達した。
【０００８】
また、本発明の長尺状高床式砂栽培装置に併設する収穫物運搬具に太陽光に代わる光エネルギーの供与を可能にするＬＥＤなどの人工光源を備えさせることにより、日照の不足により生育が遅れている植物の生育を促進させることも可能となることも判明した。
【０００９】
さらに、上記の改良された長尺状高床式砂栽培装置は、栽培培地として砂を利用した場合のみならず、セラミックスあるいは高分子物質などの各種の合成材料の粒状物を利用する培地での植物栽培においても利用できることを見出した。
【００１０】
従って、本発明は、大地あるいは大地に固定された基盤に立設された支柱により長尺の栽培床を大地あるいは大地に固定された基盤から離隔状態にて設置した長尺状高床式植物栽培装置であって、その長尺状高床式植物栽培装置の長さ方向に沿って移動が可能な収穫物運搬具が備えられていることを特徴とする長尺状高床式植物栽培装置にある。
【００１１】
また、本発明は、大地あるいは大地に固定された基盤に立設された支柱により長尺の栽培床を大地あるいは大地に固定された基盤から離隔状態にて設置した長尺状高床式植物栽培装置に付設するための、長尺状高床式植物栽培装置の長さ方向に沿って移動が可能な収穫物運搬具にも関する。
【００１２】
本発明の好ましい態様を以下に記載する。
（１）長尺状高床式植物栽培装置の栽培床の側部のそれぞれにレールが設けられ、そして収穫物運搬具が下端部に車輪を備える脚部を持ち、収穫物運搬具の長尺状高床式植物栽培装置の長さ方向の移動が、収穫物運搬具の車輪の回転を介しての上記レール上の移動により行われる。
（２）収穫物運搬具が下端部に車輪を備える脚部を持ち、収穫物運搬具の長尺状高床式植物栽培装置の長さ方向の移動が、収穫物運搬具の車輪の回転を介しての大地もしくは大地に固定された基盤の表面での移動により行われる。
（３）収穫物運搬具に栽培床への植物育成用の人工光供与のため光源（例、ＬＥＤ)が付設されている。
【発明の効果】
【００１３】
本発明の収穫物運搬具が併設された長尺状高床式植物栽培装置を利用することにより、歩行能力、特に重量物を持っての歩行能力が低下した高齢者や障害者にとっての長尺状高床式植物栽培装置を用いての植物栽培作業が楽になり、また作業効率も向上する。
【００１４】
さらに、本発明の収穫物運搬具が併設された長尺状高床式植物栽培装置の収穫物運搬具にＬＥＤなどの人工光源を設置することにより、植物の生育が不充分のまま出荷の期限が近づいた場合などに、この人工光源を利用して植物の生育に必要な光エネルギーを供与することで、植物の生育を促進することができるため、長尺状高床式植物栽培装置を利用しての根菜類などの計画的な栽培の実現のためには特に有効となる。
【図面の簡単な説明】
【００１５】
【図１】本発明の収穫物運搬具が併設された長尺状高床式植物栽培装置の構成の一例を示す側面図である。
【図２】図１の長尺状高床式植物栽培装置の正面図である。
【図３】本発明の収穫物運搬具が併設された長尺状高床式植物栽培装置の構成の別の例を示す側面図である。
【図４】図３の長尺状高床式植物栽培装置の正面図である。
【図５】本発明の収穫物運搬具が併設された長尺状高床式植物栽培装置の構成のさらに別の例を示す側面図である。
【図６】図５の長尺状高床式植物栽培装置の正面図である。
【発明を実施するための形態】
【００１６】
以下に、添付図面を参照して、本発明の長尺状高床式植物栽培装置（収穫物運搬具が併設された長尺状高床式植物栽培装置）の構成を説明する。
【００１７】
本発明の長尺状高床式植物栽培装置の構成の一例を図１と図２に示す。図１は側面図であり、図２は正面図である。
【００１８】
図１と図２において、長尺状高床式植物栽培装置１０は、公知の長尺状高床式植物栽培装置部１１と収穫物運搬具１２から構成されている。長尺状高床式植物栽培装置部１１は、大地もしくは大地に固定された基盤１３に立設された支柱１４と、該支柱により大地あるいは大地に固定された基盤から離隔状態にて設置された長尺の栽培床１５から構成されている。ここで「大地に固定された基盤」とは、大地に建設された建造物の床面、あるいは複数層の床面を持つ建造物では、それぞれの層の床面を意味する。栽培床１５の側部のそれぞれにはレール１６が備えられている。
【００１９】
図１と図２において、収穫物運搬具１２は、その下端部に車輪１７を備える脚部を持ち、収穫物運搬具１２の長尺状高床式植物栽培装置の長さ方向の移動が、収穫物運搬具１２の車輪１７の回転を介しての前記の栽培床の側面に設けられたレール１６の上の移動により行うことができる。
【００２０】
収穫物運搬具１２の上面には、棚板１８が備えられており、この上に収穫物を置き、収穫物運搬具１２を長尺状高床式植物栽培装置部１１のレール上を走らせることにより、長尺状高床式植物栽培装置部１１の長さ方向の移動が可能になる。すなわち、長尺状高床式植物栽培装置部１１の任意の側面位置で収穫された植物（収穫物）は、任意の位置に停止状態で配置された収穫物運搬具１２の上面の棚板１８の上に置かれ、その後、例えば、長尺状高床式植物栽培装置部１１の予め決められた位置（通常は、一方の端部の近傍）にまで移動され、集積される。なお、収穫物運搬具１２の棚板１８には、図１と図２に示されているような収穫物仮収容箱１９が備えられていてもよい。
【００２１】
本発明の長尺状高床式植物栽培装置の構成の別の例を図３と図４に示す。図３は側面図であり、図４は正面図である。
【００２２】
図３と図４の長尺状高床式植物栽培装置１０の長尺状高床式植物栽培装置部１１の構成は、図１と図２に示し、上記に詳しく説明した構成と実質的な相違はないため、詳しい説明は省略する。
【００２３】
図３と図４の長尺状高床式植物栽培装置１０の図１と図２に示した長尺状高床式植物栽培装置１０の構成の違いは、収穫物運搬具１２の構成にある。すなわち、図３と図４に示された収穫物運搬具１２は、収穫物の仮置き用の棚板１８に加えて、栽培床への植物育成用の人工光供与のための光源としてＬＥＤ２０が付設されていることに特徴がある。このＬＥＤは、例えば植物の生育が不充分のまま出荷の期限が近づいた場合などに、植物の生育を促進するためなどに有効に利用できる。
【００２４】
本発明の長尺状高床式植物栽培装置の構成のさらに別の例を図５と図６に示す。図５は側面図であり、図６は正面図である。
【００２５】
図５と図６の長尺状高床式植物栽培装置１０の長尺状高床式植物栽培装置部１１の構成は、図１と図２そして図３と図４に示し、これまでに詳しく説明した構成と実質的な相違はないため、詳しい説明は省略する。
【００２６】
図５と図６の長尺状高床式植物栽培装置１０の図１と図２に示した長尺状高床式植物栽培装置１０の構成の違いは、収穫物運搬具１２の構成にあり、また図３と図４の長尺状高床式植物栽培装置１０の構成に対する違いは、図５と図６に示された収穫物運搬具１２が長尺状高床式植物栽培装置部１１が据え付けられた大地もしくは大地に固定された基盤１３の上を走行する点にある。従って、図５と図６の長尺状高床式植物栽培装置部１１の栽培床１５には、収穫物運搬具１２を走行させるためのレールは付設されていない。
【符号の説明】
【００２７】
１０  本発明の長尺状高床式植物栽培装置
１１  長尺状高床式植物栽培装置部
１２  収穫物運搬具
１３  大地もしくは大地に固定された基盤
１４  支柱
１５  栽培床
１６  レール
１７  車輪
１８  棚板
１９  収穫物仮収容箱
２０  ＬＥＤ（光源）
【図１】
0006792327.tif 000002
【図２】
0006792327.tif 000003
【図３】
0006792327.tif 000004
【図４】
0006792327.tif 000005
【図５】
0006792327.tif 000006
【図６】
0006792327.tif 000007